(57)【特許請求の範囲】
【請求項１】
椅子脚の底面を覆う底面被覆部と、
椅子脚の前後側面に夫々固定される前後側面固定部とからなり、
前記底面被覆部と前記前後側面固定部は、底面被覆部の上下に夫々前後側面固定部が配置された１枚の平板状部材として形成されており、
前記底面被覆部と前記前後側面固定部の境界部には折り曲げ可能なヒンジが２つ以上形成されていることを特徴とする椅子脚カバー。
【請求項２】
前記底面被覆部は、床面に接する側の面が、左右端部から中央に向けて厚みが増す湾曲面に形成されていることを特徴とする請求項１記載の椅子脚カバー。
【請求項３】
椅子脚の左右側面に夫々固定される左右側面固定部を備えており、
前記左右側面固定部は、前記底面固定部又は前記前後側面固定部と連続する平板状に形成されており、
前記左右側面固定部と前記底面固定部の境界部又は前記左右側面固定部と前記前後側面固定部の境界部には、折り曲げ可能なヒンジが形成されていることを特徴とする請求項１又は２に記載の椅子脚カバー。
【請求項４】
前記前後側面固定部は、椅子脚の前後側面に固定されるねじ又はピンを挿通するための貫通穴が形成されていることを特徴とする請求項１乃至３いずれかに記載の椅子脚カバー。
【請求項５】
前記前後側面固定部の夫々に複数の前記貫通穴が設けられていることを特徴とする請求項４記載の椅子脚カバー。
【請求項６】
全体が一体成型されており、前記ヒンジが薄肉部からなることを特徴とする請求項１乃至５いずれかに記載の椅子脚カバー。
【請求項７】
高密度ポリエチレンから形成されていることを特徴とする請求項１乃至６いずれかに記載の椅子脚カバー。
【発明の詳細な説明】
【技術分野】
【０００１】
本発明は椅子脚に被せて使用される椅子脚カバーに関し、より詳しくは、様々な形状や大きさの椅子脚に対して装着可能な汎用性に優れた椅子脚カバーに関する。
【背景技術】
【０００２】
脚を有する椅子を直接床面上に設置すると、椅子から立ち上がったり椅子に座ったりする動作の際に椅子が移動した時に、椅子の脚と床面との摩擦によって床面が傷付いたり、耳障りな音が発生したりすることから、これらの不都合を防ぐために、椅子の脚にゴム製等の椅子脚カバーを装着することが多い。
【０００３】
従来の椅子脚カバーは、椅子の脚の形状や大きさに合わせた有底筒状に形成されている（例えば下記特許文献１参照）。
しかしながら、このような従来の椅子脚カバーはその形状や大きさが、椅子脚の形状や大きさと合っていない場合、簡単に椅子の脚から抜けてしまうという問題がある。
そのため、使用者は、様々な形状や大きさの脚をもつ椅子を所有している場合、夫々の椅子脚に合わせた形状や大きさの椅子脚カバーを選択しなければならず、非常に面倒である。
また、品揃えの少ない店舗では所望の形状・大きさの椅子脚カバーを見つけられない虞があり、特に、脚の形状が一般的な円形や正方形以外の特殊な形状である場合には、脚の形状に合う椅子脚カバーが見つからない可能性が高い。
また、仮に誤ったサイズのものを購入した場合、脚に装着することができなかったり、装着しても簡単に抜けてしまったりする。
【０００４】
更に、従来の有底筒状の椅子脚カバーは、倉庫での保管時や店舗への運送時に嵩張るため、保管のための倉庫や運搬のためのコンテナ等に広いスペースを必要とし、保管コストや運送コストが高くなるという問題もあった。
【先行技術文献】
【特許文献】
【０００５】
【特許文献１】実用新案登録第３０２９５２４号公報
【発明の概要】
【発明が解決しようとする課題】
【０００６】
本発明は、上記した従来の椅子脚カバーが有する問題点を解決するためになされたものであって、様々な形状や大きさからなる椅子脚に対して装着することが可能であり、汎用性に優れており、しかも保管時や運送時に嵩張ることがない椅子脚カバーを提供するものである。
【課題を解決するための手段】
【０００７】
請求項１に係る発明は、椅子脚の底面を覆う底面被覆部と、椅子脚の前後側面に夫々固定される前後側面固定部とからなり、前記底面被覆部と前記前後側面固定部は、底面被覆部の上下に夫々前後側面固定部が配置された１枚の平板状部材として形成されており、前記底面被覆部と前記前後側面固定部の境界部には折り曲げ可能なヒンジが２つ以上形成されていることを特徴とする椅子脚カバーに関する。
【０００８】
請求項２に係る発明は、前記底面被覆部は、床面に接する側の面が、左右端部から中央に向けて厚みが増す湾曲面に形成されていることを特徴とする請求項１記載の椅子脚カバーに関する。
【０００９】
請求項３に係る発明は、椅子脚の左右側面に夫々固定される左右側面固定部を備えており、前記左右側面固定部は、前記底面固定部又は前記前後側面固定部と連続する平板状に形成されており、前記左右側面固定部と前記底面固定部の境界部又は前記左右側面固定部と前記前後側面固定部の境界部には、折り曲げ可能なヒンジが形成されていることを特徴とする請求項１又は２に記載の椅子脚カバーに関する。
【００１０】
請求項４に係る発明は、前記前後側面固定部は、椅子脚の前後側面に固定されるねじ又はピンを挿通するための貫通穴が形成されていることを特徴とする請求項１乃至３いずれかに記載の椅子脚カバーに関する。
【００１１】
請求項５に係る発明は、前記前後側面固定部の夫々に複数の前記貫通穴が設けられていることを特徴とする請求項４記載の椅子脚カバーに関する。
【００１２】
請求項６に係る発明は、全体が一体成型されており、前記ヒンジが薄肉部からなることを特徴とする請求項１乃至５いずれかに記載の椅子脚カバーに関する。
【００１３】
請求項７に係る発明は、高密度ポリエチレンから形成されていることを特徴とする請求項１乃至６いずれかに記載の椅子脚カバーに関する。
【発明の効果】
【００１４】
請求項１に係る発明によれば、椅子脚の底面を覆う底面被覆部と、椅子脚の前後側面に夫々固定される前後側面固定部とが、１枚の平板状部材においてヒンジ部分で折り曲げ可能に形成されていることから、コの字状に変形させて椅子脚に装着することにより、椅子脚の形状が円形であっても方形であっても楕円形であっても同じ幅でありさえすれば装着することができ、汎用性に非常に優れている。また、１枚の平板状部材として形成されているため、保管時や運送時に嵩張ることがなく、保管や運送のためのコストを削減することが可能となる。
また、底面被覆部と前後側面固定部の境界部においてヒンジが２つ以上形成されていることから、椅子脚の幅に応じて折り曲げるヒンジを変えることにより、様々な幅の椅子脚に対して装着することが可能となり、より汎用性に優れたものとなる。
【００１５】
請求項２に係る発明によれば、底面被覆部は、床面に接する側の面が左右端部から中央に向けて厚みが増す湾曲面に形成されているため、床面に対する接触面積が小さくなり、床面との摩擦を減少することができ、床面に対する滑り性を向上させることが可能となる。
【００１６】
請求項３に係る発明によれば、椅子脚の左右側面に夫々固定される左右側面固定部を備えており、左右側面固定部は、底面固定部又は前後側面固定部と連続する平板状に形成されており、左右側面固定部と底面固定部の境界部又は左右側面固定部と前後側面固定部の境界部には、折り曲げ可能なヒンジが形成されていることから、椅子脚の前後左右の側面に対して前後側面固定部及び左右側面固定部を固定することが可能となり、固定強度に優れたものとなる。
【００１７】
請求項４に係る発明によれば、前後側面固定部は、椅子脚の側面に固定されるねじ又はピンを挿通するための貫通穴が形成されていることから、貫通穴にねじ又はピンを挿通して椅子脚の側面に固定することにより、椅子脚カバーを椅子脚に対して確実に固定することができる。
【００１８】
請求項５に係る発明によれば、前後側面固定部の夫々に複数の貫通穴が設けられていることから、貫通穴に挿通されたねじやピンを中心として椅子脚カバーが回転してズレたり外れたりすることを防ぐことができる。
【００１９】
請求項６に係る発明によれば、全体が一体成型されており、ヒンジが薄肉部からなることから、単一の部材で形成することができて製造コストを低減することができ、大量生産が容易であって経済的な椅子脚カバーとなる。
【００２０】
請求項７に係る発明によれば、高密度ポリエチレンから形成されていることから、機械的強度が高くなるとともに、床面との摩擦が小さくなり、椅子脚カバーを装着した椅子が床面に対して滑り易くなる。
【図面の簡単な説明】
【００２１】
【図１】本発明に係る椅子脚カバーの参考例を示す図であって、（ａ）は斜視図、（ｂ）は平面図、（ｃ）は（ｂ）図のＡ−Ａ線断面図である。
【図２】本発明に係る椅子脚カバーの別の参考例を示す図であって、（ａ）は斜視図、（ｂ）は平面図、（ｃ）は（ｂ）図のＡ−Ａ線断面図である。
【図３】椅子脚カバーをヒンジにて折り曲げた状態を示す図である。
【図４】本発明の参考例に係る椅子脚カバーを椅子脚に装着した状態を示す図であって、（ａ）は斜視図、（ｂ）は正面図、（ｃ）は椅子脚を仮想線で示した正面図である。
【図５】本発明の参考例に係る椅子脚カバーを様々な断面形状の椅子脚に装着した状態を示す平面図である。
【図６】本発明に係る椅子脚カバーを椅子脚に固定するために使用される固定手段の一例を示すピンである。
【図７】底面被覆部と左右側面固定部の左右２つの境界部の両方に、ヒンジを複数形成した例を示す平面図であって、（ａ）はヒンジを２つ形成した場合、（ｂ）はヒンジを３つ形成した場合である。
【図８】本発明に係る椅子脚カバーの変更参考例を示す平面図であって、（ａ）は第一変更例、（ｂ）は第二変更参考例を示している。
【図９】変更参考例の椅子脚カバーを椅子脚に装着した状態を示す正面図である。
【発明を実施するための形態】
【００２２】
以下、本発明に係る椅子脚カバーの好適な実施形態について、図面を参照しながら説明する。
図１は本発明に係る椅子脚カバーの参考例を示す図であって、（ａ）は斜視図、（ｂ）は平面図、（ｃ）は（ｂ）図のＡ−Ａ線断面図である。
図１に示す椅子脚カバー（１）は、椅子脚の底面を覆う底面被覆部（２）と、椅子脚の左右側面に夫々固定される左右側面固定部（３）とからなる。
底面被覆部（２）と左右側面固定部（３）は夫々平面視四角形状をなしており、底面被覆部（２）の左右に夫々左右側面固定部（３）が配置され、全体として１枚の平面視長方形状の平板状部材として形成されている。
【００２３】
底面被覆部（２）と左右側面固定部（３）の境界部には、折り曲げ可能なヒンジ（４）が形成されている
椅子脚カバー（１）は、全体を一体成型により形成することが好ましい。
椅子脚カバー（１）の材料は、椅子脚カバーとしての機械的強度を充足する材料であれば全て使用することができる。例えば、ＨＤＰＥ（高密度ポリエチレン），その他ポリオレフィン等の合成樹脂、合成ゴムや天然ゴム等のゴム、オレフィン系エラストマーやポリ塩化ビニル系エラストマー等のエラストマー、等を使用することができる。
特に、本発明においては、高密度ポリエチレンを使用することが好ましい。
高密度ポリエチレンを使用することにより、椅子脚カバー（１）の機械的強度が高くなり耐久性が向上する。また、床面との摩擦が小さくなり、椅子脚カバーを装着した椅子が床面に対して滑り易くなる。そのため、例えば、立ち上がり時に床面に対する滑り易さが要求される介護施設で被介護者が使用する椅子に対して好適に使用される。また、耐久性に優れたものとなるため、立ったり座ったりすることが多い居酒屋等の飲食店で客が座る椅子に対しても好適に使用される。
【００２４】
ヒンジ（４）は薄肉部から形成されており、より具体的には椅子脚カバー（１）の下面（床面に接する側の面）側においてＵ字状又はＶ字状、好ましくはＵ字状の切込みとして形成されている。
【００２５】
図３は、椅子脚カバー（１）をヒンジ（４）にて折り曲げた状態を示す図である。
図示の如く、椅子脚カバー（１）をヒンジ（４）にて折り曲げると、全体としてコの字状になる。
底面被覆部（２）は、図示の如く、床面に接する側の面が、左右端部から中央に向けて厚みが増す湾曲面に形成されている。
これにより、底面被覆部（２）と床面との接触面積が小さくなり、床面との摩擦を減少させて滑り易くすることが可能となる。
【００２６】
左右側面固定部（３）は、底面被覆部（２）よりも厚く形成されている。
左右側面固定部（３）には、椅子脚の側面に固定されるねじ又はピンを挿通するための貫通穴（５）が形成されている。
使用時においては、貫通穴（５）にねじ又はピンを挿通して椅子脚の側面に固定することにより、椅子脚カバー（１）を椅子脚に対して確実に固定することができる。
ここで、左右側面固定部（３）は底面被覆部（２）よりも厚く形成されているため、貫通穴（５）を設けることによる強度低下を防ぐことができ、破損が生じにくくなる。特に、図示のように貫通穴（５）を座ぐり穴とした場合は、座ぐりを設けることによる左右側面固定部（３）の強度低下が生じ易いため、左右側面固定部（３）を厚く形成することは強度低下防止のために有効である。
【００２７】
貫通穴（５）は、夫々の左右側面固定部（３）に１つずつ形成するが、図２のように複数個ずつ形成してもよい。
左右側面固定部（３）の夫々に複数の貫通穴（５）が設けられていると、貫通穴（５）に挿通されたねじやピンを中心として椅子脚カバー（１）が回転してズレたり外れたりすることを防ぐことができる。
【００２８】
本発明において、椅子脚カバー（１）の左右側面固定部（３）を椅子脚の側面に固定するための固定手段は特に限定されず、ねじ又はピンに代えて、或いはねじ又はピンと共に両面接着テープを使用することもできる。この場合、貫通穴（５）を設けなくともよい場合がある。
貫通穴（５）を設けない場合には、両面接着テープを介在させて固定する。貫通穴（５）を夫々の左右側面固定部（３）に１つずつ形成する場合には、両面接着テープを介在させて且つねじで固定することが望ましい。
【００２９】
図４は本発明の参考例に係る椅子脚カバー（１）を椅子脚に装着した状態を示す図であって、（ａ）は斜視図、（ｂ）は正面図、（ｃ）は椅子脚を仮想線で示した正面図である。
本発明の参考例に係る椅子脚カバー（１）は、ヒンジ（４）にて全体をコの字状に折り曲げて、底面被覆部（２）を椅子脚（Ｌ）の底面を被覆するように配置して、左右側面固定部（３）を椅子脚（Ｌ）の左右の側面に夫々固定することにより使用される。
【００３０】
図４に示す例では、２つの針部と１つの頭部を備えたピン（６）（図６参照）の針部を左右側面固定部（３）に形成された２つの貫通穴（５）に挿通し、椅子脚（Ｌ）に突き刺すことにより、左右側面固定部（３）を椅子脚（Ｌ）の左右の側面に夫々固定している。
【００３１】
上記したように、本発明に係る椅子脚カバー（１）は、１枚の平板状部材をコの字状に変形させて椅子脚（Ｌ）に装着するため、椅子脚の断面形状が四角形である場合（図５（ａ）参照）だけでなく、六角形である場合（図５（ｂ）参照）、円形である場合（図５（ｃ）参照）、楕円形である場合（図５（ｄ）参照）等でも、同じ幅であれば装着することができるため、汎用性に非常に優れている。
また、１枚の平板状部材として形成されているため、保管や運送の際に必要な収容スペースを従来の椅子脚カバーに比べて大幅に削減することができ、保管コストや運送コストを大きく削減することが可能となる。
【００３２】
本発明において、底面被覆部（２）と左右側面固定部（３）の境界部にヒンジ（４）を２つ以上平行に形成することも可能である。ヒンジ（４）を２つ以上形成する場合、底面被覆部（２）と左右側面固定部（３）の左右２つの境界部のうち、両方にヒンジ（４）を２つ以上形成することもできるし、左右いずれか一方のみにヒンジ（４）を２つ以上形成することもできる。
図７は、底面被覆部（２）と左右側面固定部（３）の左右２つの境界部の両方に、ヒンジ（４）を２つ以上形成した例を示す平面図であって、（ａ）はヒンジを２つ形成した場合、（ｂ）はヒンジを３つ形成した場合である。
このように、底面被覆部（２）と左右側面固定部（３）の境界部にヒンジ（４）を２つ以上形成すると、使用時において折り曲げるヒンジを変えることにより、様々な幅の椅子脚に対して装着することが可能となり、より汎用性に優れたものとなる。
例えば、図７（ｂ）に示す椅子脚カバー（１）は、３種類の幅の椅子脚に対して装着することが可能であるため、非常に汎用性に優れている。
尚、図７においては、夫々の左右側面固定部（３）に複数個ずつの貫通穴（５）を設けているが、夫々の左右側面固定部（３）に設ける貫通穴（５）は１つでよい。
【００３３】
図８は本発明に係る椅子脚カバー（１）の変更参考例を示す平面図であって、（ａ）は第一変更例、（ｂ）は第二変更例を示している。
変更参考例の椅子脚カバー（１）は、椅子脚の底面を覆う底面被覆部（２）と、椅子脚の左右側面に夫々固定される左右側面固定部（３）と、椅子脚の前後側面に夫々固定される前後側面固定部（７）とを備えている。
底面被覆部（２）、左右側面固定部（３）、前後側面固定部（７）は夫々平面視四角形状をなしており、底面被覆部（２）の左右に夫々左右側面固定部（３）が配置されている。
【００３４】
第一変更参考例では、前後側面固定部（７）は底面被覆部（２）の上方及び下方に連続して（繋がって）配置されており、底面被覆部（２）、左右側面固定部（３）、前後側面固定部（７）は全体として１枚の十字形の平板状部材として形成されている。
第二変更参考例では、前後側面固定部（７）は、右側の左右側面固定部（３）の上方と左側の左右側面固定部（３）の下方に夫々連続して（繋がって）配置されており、底面被覆部（２）、左右側面固定部（３）、前後側面固定部（７）は全体として１枚の略乙字型の平板状部材として形成されている。
【００３５】
底面被覆部（２）と左右側面固定部（３）の境界部、前後側面固定部（７）と底面被覆部（２）又は左右側面固定部（３）の境界部には、夫々折り曲げ可能なヒンジ（４）が形成されている。
前後側面固定部（７）には、椅子脚の側面に固定されるねじ又はピンを挿通するための貫通穴（５）が形成されている。
夫々の左右側面固定部（３）及び前後側面固定部（７）に設ける貫通穴（５）は１つでよいが、図示のように複数個ずつ設けてもよい。但し、左右側面固定部（３）及び前後側面固定部（７）を、両面接着テープを使用して椅子脚の側面に固定する場合には、貫通穴（５）は不要な場合がある。
貫通穴（５）を設けない場合には、両面接着テープを介在させて固定する。貫通穴（５）を夫々の左右側面固定部（３）及び前後側面固定部（７）に１つずつ形成する場合には、両面接着テープを介在させて且つねじで固定することが望ましい。
【００３６】
図９は変更参考例の椅子脚カバー（１）を椅子脚に装着した状態を示す正面図である。
変更参考例の椅子脚カバー（１）は、ヒンジ（４）にて境界部を折り曲げて、底面被覆部（２）を椅子脚（Ｌ）の底面を被覆するように配置して、左右側面固定部（３）を椅子脚（Ｌ）の左右の側面に夫々固定し、前後側面固定部（７）を椅子脚（Ｌ）の前後の側面に夫々固定することにより使用される。
【００３７】
変更参考例の椅子脚カバー（１）によれば、椅子脚の前後左右の側面に対して左右側面固定部（３）及び前後側面固定部（７）を固定することが可能であるため、固定強度に優れたものとなる。
【００３８】
変更参考例において、底面被覆部（２）と左右側面固定部（３）の境界部に２つ以上のヒンジ（４）を平行に形成してもよいし、底面被覆部（２）と前後側面固定部（７）の境界部に２つ以上のヒンジ（４）を平行に形成してもよい。
このように、底面被覆部（２）と左右側面固定部（３）の境界部や、底面被覆部（２）と前後側面固定部（７）の境界部にヒンジ（４）を２つ以上形成すると、使用時において折り曲げるヒンジを変えることにより、様々な幅の椅子脚に対して装着することが可能となり、より汎用性に優れたものとなる。
【００３９】
変更参考例の椅子脚カバー（１）も、１枚の平板状部材として形成されているため、保管時や運送時に嵩張ることがなく、保管や運送の際に必要な収容スペースを従来の椅子脚カバーに比べて大幅に削減することができ、保管コストや運送コストを大きく削減することが可能となる。
【産業上の利用可能性】
【００４０】
本発明に係る椅子脚カバーは、様々な大きさ・形状の椅子の脚に装着して使用することが可能である。
【符号の説明】
【００４１】
１      椅子脚カバー
２      底面被覆部
３      左右側面固定部
４      ヒンジ
５      貫通穴
６      ピン（固定手段）
７      前後側面固定部
Ｌ      椅子脚
【要約】
【課題】様々な形状や大きさからなる椅子脚に対して装着することが可能であり、汎用性に優れており、しかも保管時や運送時に嵩張ることがない椅子脚カバーを提供すること。
【解決手段】椅子脚の底面を覆う底面被覆部２と、椅子脚の左右側面に夫々固定される側面固定部３とからなり、前記底面被覆部と前記側面固定部は、底面被覆部の左右に夫々側面固定部が配置された１枚の平板状部材として形成されており、前記底面被覆部と前記側面固定部の境界部には折り曲げ可能なヒンジ４が形成されている椅子脚カバーである。
【選択図】図１【図１】
0004782885.tif 000002
【図２】
0004782885.tif 000003
【図３】
0004782885.tif 000004
【図４】
0004782885.tif 000005
【図５】
0004782885.tif 000006
【図６】
0004782885.tif 000007
【図７】
0004782885.tif 000008
【図８】
0004782885.tif 000009
【図９】
0004782885.tif 000010